(57)【要約】【課題】  旅行会社がホームページ上で申込を受付ける主催旅行は、団体割引運賃が適用される出発日より所定期間前迄しか安価な旅行料金では提供できなかった。【解決手段】  記憶部１１１には、主催旅行情報が記憶され、主催旅行で利用される航空機の団体割引運賃と団体割引の適用される所定期間を経過した第１期間に適用される特別割引運賃１と第２期間に適用される特別割引運賃２とが記憶されている。制御部１１６は、ユーザ端末から参加申込があったとき、受付日と旅行出発日とから所定期間内か、第１期間内か第２期間内かを判定する。所定期間内であれば、初期に設定した旅行料金で、第１期間内であれば特別割引運賃１と団代割引運賃との差額を初期設定の旅行料金に加算し、第２期間内であれば、特別割引運賃２と団体割引運賃との差額を上乗せた旅行料金で申込みを受付ける。【選択図】    図１
2005258652.tif 000002
【特許請求の範囲】
【請求項１】
サーバと複数のユーザ端末とが接続され、インターネット上のホームページで主催旅行の内容を提示して参加申込みを受付ける旅行申込受付システムであって、
サーバは、
第１の運賃と主催旅行の日程と旅行料金とを出発日ごとに記憶している第１記憶手段と、
前記ユーザ端末からのアクセスにより、前記第１記憶手段に記憶された主催旅行の日程とその旅行料金とを提示する提示手段と、
前記ユーザ端末から申込まれた主催旅行の出発日と申し込み受付日とで前記第１記憶手段に記憶されている旅行料金で参加申込みを受付けるか否かを判定する判定手段と、
第１の運賃と異なる第２の運賃を出発日ごとに記憶している第２記憶手段と、
前記判定手段で否と判定されたとき、前記第２の運賃と第１の運賃との差額を勘案した料金で主催旅行の参加申込みを受付ける受付手段とを備え、
ユーザ端末は、
前記サーバにアクセスし、提示手段に提示された主催旅行の日程とその旅行料金とを表示するアクセス表示手段と、
前記サーバに旅行の出発日を示して申込む申込手段とを備えることを特徴とする旅行申込受付システム。
【請求項２】
複数のユーザ端末と接続され、インターネット上のホームページで主催旅行の内容を提示して参加申し込みを受付ける旅行申込受付システムのサーバであって、
第１の運賃と主催旅行の日程と旅行料金とを出発日ごとに記憶している第１記憶手段と、
前記ユーザ端末からのアクセスによって、前記第１記憶手段に記憶された主催旅行の日程とその旅行料金とを提示する提示手段と、
第１の運賃と異なる第２の運賃を出発日ごとに記憶している第２記憶手段と、
前記ユーザ端末から申し込まれた主催旅行の出発日と申込受付日とで前記第１記憶手段に記憶されている旅行料金で参加申込を受付けるか否かを判定する判定手段と、
前記判定手段で否と判定されたとき、前記第１の運賃と第２の運賃との差額を勘案した料金で主催旅行の参加申込を受付ける受付手段とを備えることを特徴とする旅行申込受付システムのサーバ。
【請求項３】
前記第１の運賃は、団体割引運賃であり、
前記判定手段は、団体割引運賃で発券が可能な出発日より所定期間前を経過後の申込受付日のとき否と判定することを特徴とする請求項２記載の旅行申込受付システムのサーバ。
【請求項４】
前記第２の運賃は、第１期間に適用される第１割引運賃と、第１期間より出発日に近い第２期間に適用される第２割引運賃とからなり、
前記受付手段は、
前記申込受付日が第１期間のとき、前記第１の運賃と第１割引運賃との差額を計算し、旅行料金を算出する第１算出部と、
前記申込受付日が第２期間のとき、前記第１の運賃と第２割引運賃との差額を計算し、旅行料金を算出する第２算出部と、
前記第１算出部又は第２算出部で算出された旅行料金を提示する料金提示部と、
ユーザ端末から提示した旅行料金の払込方法の通知を受ける払込方法受付部とを有することを特徴とする請求項３記載の旅行申込受付システムのサーバ。
【請求項５】
前記受付手段は、
前記第１算出部又は第２算出部が旅行料金を算出する前に、当該第１割引運賃又は第２割引運賃の適用される便の空席情報を取得し、空席がある場合にのみ第１算出部又は第２算出部を起動させる空席確認部を更に有することを特徴とする請求項４記載の旅行受付システムのサーバ。
【請求項６】
前記第２記憶手段は、前記第１割引運賃と第２割引記運賃とを、それらの運賃を決定している当該交通手段の提供者のサーバにアクセスし、ダウンロードして記憶するダウンロード部を有し、
前記空席確認部は、前記提供者のサーバにアクセスし、空席情報を取得し、空席の有無を確認することを特徴とする請求項５記載の旅行受付システムのサーバ。
【請求項７】
複数のユーザ端末と接続され、インターネット上のホームページで主催旅行の内容を提示して参加申し込みを受付ける旅行申込受付方法であって、
第１の運賃と主催旅行の日程と旅行料金とを出発日ごとに記憶している第１記憶ステップと、
前記ユーザ端末からのアクセスによって、前記第１記憶ステップで記憶された主催旅行の日程とその旅行料金とを提示する提示ステップと、
第１の運賃と異なる第２の運賃を出発日ごとに記憶している第２記憶ステップと、
前記ユーザ端末から申し込まれた主催旅行の出発日と申込受付日とで前記第１記憶手段に記憶されている旅行料金で参加申込を受付けるか否かを判定する判定手段と、
前記判定ステップで否と判定されたとき、前記第１の運賃と第２の運賃との差額を勘案した料金で主催旅行の参加申込を受付ける受付ステップとを有することを特徴とする旅行申込受付方法。
【発明の詳細な説明】
【技術分野】
【０００１】
本発明は、旅行業界でｗｗｗのシステム上で、主催国内旅行の申込みを受け付ける旅行申込受付システムに関する。
【背景技術】
【０００２】
旅行会社において、提供するサービスには、ユーザの指定する交通手段やホテル等を手配する手配旅行と、旅行会社において予め設定したホテルと往復の交通手段とをパッケージとした主催旅行とがある。
手配旅行では、ホテルと交通手段とが確保できれば出発直前までその申込の受付は可能である。
【０００３】
しかし、例えば、航空機を利用する主催国内旅行の場合は、安価に設定された包括旅行割引運賃又は個人包括旅行割引運賃（以下「団体割引運賃」という）を利用した旅行が組まれている。団体割引運賃の適用される発券は、搭乗日の一定期間前迄とされている。
そこで、旅行会社では、主催国内旅行の申込の受付は、その期間に合わせて、出発日の一定期間前迄で〆切っている（例えば、非特許文献１）。
【０００４】
ところが、忙しい現代人にとって、急に暇が出来たので旅行に行きたいとの要望は多く、申込期間経過後の主催国内旅行の問い合わせも多い。
【非特許文献１】Ｊ−ＣＬＵＢ  ＨＯＫＫＡＩＤＯ  大阪発２００３／１１→２００４／４／２００３  Ｊ−ＣＬＵＢ  ｖｏｌ．７５  株式会社ジャルトラベル西日本発行
【発明の開示】
【発明が解決しようとする課題】
【０００５】
解決しようとする問題は、主催国内旅行の申込期間を従来のように出発日よりも一定期間前とすることなく、また、主催国内旅行の安価であるとの要素も残して、主催国内旅行の申込受付を出発日近くまで可能とする旅行申込受付システム及びそのサーバを提供することである。
【課題を解決するための手段】
【０００６】
本発明は、上記課題を解決するため、サーバと複数のユーザ端末とが接続され、インターネット上のホームページで主催旅行の内容を提示して参加申込みを受付ける旅行申込受付システムであって、サーバは、第１の運賃と主催旅行の日程と旅行料金とを出発日ごとに記憶している第１記憶手段と、前記ユーザ端末からのアクセスにより、前記第１記憶手段に記憶された主催旅行の日程とその旅行料金とを提示する提示手段と、前記ユーザ端末から申込まれた主催旅行の出発日と申し込み受付日とで前記第１記憶手段に記憶されている旅行料金で参加申込みを受付けるか否かを判定する判定手段と、第１の運賃と異なる第２の運賃を出発日ごとに記憶している第２記憶手段と、前記判定手段で否と判定されたとき、前記第２の運賃と第１の運賃との差額を勘案した料金で主催旅行の参加申込みを受付ける受付手段とを備え、ユーザ端末は、前記サーバにアクセスし、提示手段に提示された主催旅行の日程とその旅行料金とを表示するアクセス表示手段と、前記サーバに旅行の出発日を示して申込む申込手段とを備えることとしている。
【発明の効果】
【０００７】
上記構成により、従来のように旅行出発日よりかなり早く受け付けられた参加申込には、主催旅行で設定された旅行料金を適用し、適用できないと判定された場合でも、第２の運賃を勘案した旅行料金で参加申込を受付けることが可能となり、忙しい現代人の余暇を有効に活用することができる。
また、本発明は、複数のユーザ端末と接続され、インターネット上のホームページで主催旅行の内容を提示して参加申し込みを受付ける旅行申込受付システムのサーバであって、第１の運賃と主催旅行の日程と旅行料金とを出発日ごとに記憶している第１記憶手段と、前記ユーザ端末からのアクセスによって、前記第１記憶手段に記憶された主催旅行の日程とその旅行料金とを提示する提示手段と、第１の運賃と異なる第２の運賃を出発日ごとに記憶している第２記憶手段と、  前記ユーザ端末から申し込まれた主催旅行の出発日と申込受付日とで前記第１記憶手段に記憶されている旅行料金で参加申込を受付けるか否かを判定する判定手段と、前記判定手段で否と判定されたとき、前記第１の運賃と第２の運賃との差額を勘案した料金で主催旅行の参加申込を受付ける受付手段とを備えることとしている。
【０００８】
このような構成によっても、上記と同様の効果を達成することができる。
また、前記第１の運賃は、団体割引運賃であり、前記判定手段は、団体割引運賃で発券が可能な出発日より所定期間前を経過後の申込受付日のとき否と判定することを特徴とすることとしている。
このような構成によって、旅行出発日の所定期間前を経過後の申込受付日の参加申込には、第２の運賃を勘案し、従来同様所定期間前までの参加申込には、団体割引運賃を利用した安価な旅行料金で申込を受けられるようにできる。
【０００９】
また、前記第２の運賃は、第１期間に適用される第１割引運賃と、第１期間より出発日に近い第２期間に適用される第２割引運賃とからなり、前記受付手段は、前記申込受付日が第１期間のとき、前記第１の運賃と第１割引運賃との差額を計算し、旅行料金を算出する第１算出部と、前記申込受付日が第２期間のとき、前記第１の運賃と第２割引運賃との差額を計算し、旅行料金を算出する第２算出部と、前記第１算出部又は第２算出部で算出された旅行料金を提示する料金提示部と、ユーザ端末から提示した旅行料金の払込方法の通知を受ける払込方法受付部とを有することを特徴とすることとしている。
【００１０】
このような構成によって、出発日より所定期間前を経過しても、所定期間後の第１所定期間には、第１割引運賃を適用し、第２所定期間には、第２割引運賃を適用して、旅行料金を設定できるので、ユーザは安価な旅行を楽しむことができる。
また、前記受付手段は、前記第１算出部又は第２算出部が旅行料金を算出する前に、当該第１割引運賃又は第２割引運賃の適用される便の空席情報を取得し、空席がある場合にのみ第１算出部又は第２算出部を起動させる空席確認部を更に有することを特徴とすることとしている。
【００１１】
このような構成によって、第１割引運賃又は第２割引運賃が設定された交通手段に空席があることが確認される。
また、前記第２記憶手段は、前記第１割引運賃と第２割引記運賃とを、それらの運賃を決定している当該交通手段の提供者のサーバにアクセスし、ダウンロードして記憶するダウンロード部を有し、前記空席確認部は、前記提供者のサーバにアクセスし、空席情報を取得し、空席の有無を確認することを特徴とすることとしている。
【００１２】
このような構成によって、第１割引運賃や第２割引運賃を容易に取得することができ、また空席の確認も容易にすることができる。
また、本発明は、複数のユーザ端末と接続され、インターネット上のホームページで主催旅行の内容を提示して参加申し込みを受付ける旅行申込受付方法であって、第１の運賃と主催旅行の日程と旅行料金とを出発日ごとに記憶している第１記憶ステップと、前記ユーザ端末からのアクセスによって、前記第１記憶ステップで記憶された主催旅行の日程とその旅行料金とを提示する提示ステップと、第１の運賃と異なる第２の運賃を出発日ごとに記憶している第２記憶ステップと、  前記ユーザ端末から申し込まれた主催旅行の出発日と申込受付日とで前記第１記憶手段に記憶されている旅行料金で参加申込を受付けるか否かを判定する判定手段と、前記判定ステップで否と判定されたとき、前記第１の運賃と第２の運賃との差額を勘案した料金で主催旅行の参加申込を受付ける受付ステップとを有することを特徴とすることとしている。
【００１３】
このような、旅行申込受付プログラムを主催旅行を提供する旅行会社のサーバに適用することによって、出発日近くまで主催旅行の申込を受付けることができる。
【発明を実施するための最良の形態】
【００１４】
以下、本発明に係る旅行申込受付システムの実施の形態を図面を用いて説明する。
（一実施の形態）
図１は、本発明に係る旅行申込受付システムの一実施の形態の構成図である。
この国内旅行申込受付システムは、旅行申込受付サーバ１１０と、複数のユーザ端末１２１、１２２、１２３・・・と、航空会社サーバ１３０とが公衆回線網１４０を介して接続されている。
【００１５】
なお、旅行申込受付サーバ１１０と航空会社サーバ１３０とは、専用回線で接続されていてもよい。
旅行申込受付サーバ１１０は、記憶部１１１と、申込受付部１１２と、提示部１３０と、問合部１１４と、入力部１１５と、制御部１１６とを備えている。
記憶部１１１は、ハードディスク等からなり、主催国内旅行情報（以下「主催旅行情報」という）を記憶しており、旅行の申込受付を登録する。
【００１６】
図２は、記憶部１１１に記憶されている主催旅行情報の一例を示す図である。記憶部１１１には、出発地と旅行先とで分類された複数の主催旅行の情報が記憶されている。
主催旅行情報２０１には、そのタイトル２０２と、その識別子２０３と、その出発地、行先、宿泊数や旅行料金等の旅行概要２０４と、日程２０５とが記載されている。この札幌自由旅行は、往復の交通手段にＪＮＡの航空便を利用し、ＪＮＡホテルに２泊する。
【００１７】
記憶部１１１は、図３に示すように、旅行の出発日ごとに決まる団体割引運賃が記載された団体割引運賃表を記憶している。
この団体割引運賃表３０１は、旅行の出発日の所定期間前迄に参加申込が受付けられたときに適用される運賃を示しており、出発日３０２ごとに往路便３０３と帰着日３０４の復路便３０５との運賃が記載されている。この所定期間は、団体割引運賃で発券が可能な期間であり、例えば１１日である。
【００１８】
図４は、記憶部１１１に記憶されている出発日の所定期間前迄に参加申込が受付けられた場合の旅行料金表である。旅行料金表４０１には、出発日ごとにその旅行料金が記載されている。
この旅行料金は、宿泊費やその他の料金に図３に示した運賃とが加算されたものである。例えば、２月１日を出発日とする旅行料金は、宿泊費やその他の料金３０，０００円に２月１日の往路航空運賃１８，５００円と２月３日の復路航空運賃１８，５００円とが加算された６７，０００円となっている。
【００１９】
記憶部１１１は、更に、特別割引運賃１表と特別割引運賃２表とを記憶している。
図５は、特別割引運賃１表を示している。特別割引運賃１表５０１は、旅行出発日の所定期間前を経過後の一定期間に旅行申込を受付けたとき、適用される運賃を示している。この一定期間は、例えば、出発日の１０日前から８日前までの期間である。団体割引運賃よりも割高であるけれども、通常運賃よりも割引かれている。
【００２０】
例えば、旅行出発日が２月１日の場合、その１０日前の１月２２日に旅行の申込をしたとき、上述した団体割引運賃の適用はされず、この特別割引運賃１表５０１が適用される。２月１日を出発日とするとき、往復の運賃は、５３，０００円となり、団体割引運賃３７，０００円との差額１６，０００円が、通常の旅行料金６７，０００円（図４参照）に加算される。従って、旅行料金は８３，０００円となる。
【００２１】
図６は、特別割引運賃２表を示している。この特別割引運賃２表６０１は、上述の特別割引運賃１表５０１の適用される期間経過後の一定期間、例えば旅行出発日の７日前から２日前迄に適用される運賃を示している。特別割引運賃１よりも更に割引率は低くなっているけれども、通常料金よりも安く設定されている。
申込受付部１１２は、公衆回線網１４０を介して接続されたユーザ端末１２１等からアクセスを受けると、その旨を制御部１１６に通知する。また、ユーザ端末からツアー選択画面の要求を受けると、その旨制御部１１６に通知する。同様に、出発地と旅行先の選択通知を受けると制御部１１６に通知する。同様に、主催旅行の決定通知をその識別子とともに通知されると、制御部１１６にその識別子を通知する。
【００２２】
また、ユーザ端末から旅行参加申込票の必要事項の通知を受けると、制御部１１６にその内容を通知し、申込確認とともに払込方法の選択通知を受けると、その旨制御部１１６に通知する。
提示部１１３は、制御部１１６からメニュー画面の提示を指示されると、予め記憶しているメニュー画面を提示する。同様に、ツアー選択画面の提示を指示されると、予め記憶しているツアー選択画面を提示する。
【００２３】
図７は、ツアー選択画面の一例を示す図である。ツアー選択画面７０１には、出発地７０２と旅行先７０３とにそれぞれ都市名と地方名とが表示されており、ラジオボタン７０３、７０４が付されている。また、ツアー選択画面７０１には、出発地７０２と旅行先７０３とをそれぞれラジオボタン７０４、７０５でユーザが選択した後、ユーザにクリックされる「決定」ボタン７０６と取消すときの「キャンセル」ボタン７０７とが表示されている。
【００２４】
提示部１１３は、制御部１１６から主催旅行情報の識別子とともに旅行案内画面提示指示の通知を受けると、記憶部１１１に記憶されている通知された識別子で識別される主催旅行情報を読み出し、旅行案内画面を提示する。
図８は、提示部１１３で提示される旅行案内画面の一例である。旅行案内画面８０１は、主催旅行情報２０１の内容に加えて、「次へ」ボタン８０２と「決定」ボタン８０３とが付加されている。
【００２５】
提示部１１３は、制御部１１６から主催旅行の識別子の通知を受けると、参加申込画面を提示する。
図９は、参加申込画面の一例を示す。参加申込画面９０１には、旅行参加申込票９０２と申込者情報欄９０３とが表示される。
旅行参加申込票９０２には、申込みがあった申込日９０４の年月日と、旅行内容９０５を示す行先と、主催旅行の識別子９０６と、出発日のテキストボックス９０７と、帰着日のテキストボックス９０８とが表示されている。
【００２６】
申込者情報欄９０３には、申込者を特定する氏名９０９、住所９１０、郵便番号９１１、電話９１２、Ｅメールアドレス９１３、パスワード９１４及び参加人数９１５のテキストボックスが表示されている。
また、提示部１１３は、制御部１１６から主催旅行のタイトルと出発日と人数と旅行料金との通知を受け、申込確認画面の提示の指示を受ける。
【００２７】
図１０は、申込確認画面の一例を示す図である。申込確認画面１００１には、申込者が申込んだ旅行内容の特定事項１００２と、支払情報１００３とが表示されている。
旅行内容の特定事項１００２は、申込者の申込事項が記載されており、特に旅行料金１００４が表示されている。
この旅行料金１００４の支払方法が支払情報１００３として、ラジオボタンやテキストボックスとして表示されている。
【００２８】
申込確認画面１００１には、「戻る」ボタン１００５、「確認」ボタン１００６及び「リセット」ボタン１００７が表示されている。申込者が支払情報１００３の内容を記入して「確認」ボタン１００６をクリックすると、申込が完了することになる。
図１１は、申込確認画面の他の例を示す図である。申込確認画面１１０１では、図１０の申込確認画面１００１と申込日１１０２が異なることから旅行料金１１０３が異なっている。
【００２９】
問合部１１４は、制御部１１６からの指示により、航空会社サーバ１３０に公衆回線網１４０を介してアクセスし、特別割引運賃１表５０１、特別割引運賃２表６０１等をダウンロードし、制御部１１６に通知する。
また、問合部１１４は、制御部１１６からの指示により、特別割引運賃１表５０１又は特別割引運賃２表６０１に記載された当該割引運賃が適用される搭乗便の空席情報を航空会社サーバ１３０にアクセスして取得し、制御部１１６に通知する。
【００３０】
入力部１１５は、旅行会社が主催する主催旅行情報２０１等の入力を受付け、記憶部１１１に記憶させる。また、主催旅行で交通手段として利用する航空便の団体割引運賃表３０１の入力を受付け、記憶部１１１に記憶させる。更に、出発日ごとに計算された旅行料金の入力を受付け、記憶部１１１に記憶させる。
なお、主催旅行情報２０１等は、図２にその内容が解るように、ユーザ端末１２１等での表示内容で示しているけれども、実際には、ＨＴＭＬ又はＸＭＬ等の言語で記載されている。
【００３１】
制御部１１６は、旅行申込受付サーバ１１０の各部を制御する。制御部１１６は、申込受付部１１２より、ユーザ端末１２１等からアクセスがあった旨の通知を受けると、提示部１１３にメニュー画面（図示せず）を提示するよう指示する。申込受付部１１２よりツアー選択画面の要求を通知されると、提示部１１３にツアー選択画面７０１を提示するよう指示する。
【００３２】
制御部１１６は、申込受付部１１２より出発地と行先との通知を受けると、記憶部１１１に記憶されている複数の主催旅行情報２０１等から出発地と行先とが一致する主催旅行情報の識別子を１つ抽出し、その識別子とともに旅行案内画面の提示指示を提示部１１３に通知する。
制御部１１６は、提示部１１３が旅行案内画面を提示した後、申込受付部１１２から「次へ」を通知されると、更に出発地と行先とが一致する別の主催旅行情報の識別子を１つ抽出し、その識別子とともに旅行案内画面の提示指示を提示部１１３に通知する。
【００３３】
制御部１１６は、提示部１１３が旅行案内画面を提示した後、申込受付部１１２から「決定」の通知を受けると、提示部１１３に主催旅行の識別子を通知する。
次に、制御部１１６は、申込受付部１１２から旅行参加申込票９０２と申込者情報欄９０３との必要記載事項との通知を受けると、申込受付日が旅行出発日より所定期間、例えば１１日以前であるか否かを判定する。
【００３４】
所定期間以前であると判定すると、主催旅行のタイトルと出発日と初期に設定された旅行料金とを提示部１１３に通知し、申込確認画面の提示を指示する。
所定期間を経過していると判定したときは、第１期間内であるか否か、例えば、受付日が出発日より１０日前から８日前の間であるか否かを判定する。この第１期間内と判定したときは、当該出発日の往路便と、帰着日の復路便とについて、問合部１１４に空席情報を取得するよう指示する。問合部１１４から空席情報が通知され、空席があることを確認すると、団体割引運賃と特別割引運賃１との差額を計算し、特別割引運賃１が高額のときには、その差額を初期設定された旅行料金に加算する。なお、特別割引運賃１が低額のときには、その差額を初期設定された旅行料金より減算する。
【００３５】
次に、制御部１１６は、主催旅行のタイトル等と計算された旅行料金とを提示部１１３に通知し、申込確認画面の提示を指示する。
制御部１１６は、問合部１１４から通知された空席情報により、空席がないことが確認されると、提示部１１３に申込みを受付けられない旨の提示をするよう指示する。
制御部１１６は、第１期間内でないと判定したとき、第２期間内であるか否か、例えば、受付日が出発日よりも７日前から２日前迄の間であるか否かを判定する。この第２期間内と判定したときも、同様に問合部１１４に空席情報を取得するよう指示する。問合部１１４から空席情報の通知を受けると、空席がなければ、提示部１１３に申込みを受付けられない旨の提示をするよう指示する。
【００３６】
空席があるときには、団体割引運賃と特別割引運賃２との差額を計算する。特別割引運賃２が高額のときには、その差額を初期設定された旅行料金に加算する。主催旅行のタイトル等と計算された旅行料金とを提示部１１３に通知し、申込確認画面の提示を指示する。
例えば、２月５日に、出発日を２月７日とする主催旅行Ｎｏ．Ｅ−Ｆ０２０１−０１を受付けたときには、提示部１１３では、申込確認画面１１０１を提示することになる。この旅行料金１１０３は、大人２人で「１８３，６００円」と初期設定の旅行料金「１３６，０００円」よりも高額となっている。
【００３７】
しかし、この旅行料金１１０３であっても、通常の運賃と比較すると、安価に利用していることになる。
次に、制御部１１６は、申込受付部１１２から確認と支払情報との通知を受けると、参加申込画面９０１の必要記載事項等を記載した参加申込受付を記憶部１１１に登録する。
次に、ユーザ端末１２１について説明する。
【００３８】
ユーザ端末１２１は、旅行会社が提供する主催旅行に参加申込みをする申込者であるユーザが所有する端末であり、入力部１２５と、制御部１２６と、表示部１２７と、送受信部１２８とを備えている。
送受信部１２８は、制御部１２６の指示に従い、公衆回線網１４０を介して旅行申込受付サーバ１１０にアクセスし、入力部１２５から入力された情報を旅行申込受付サーバ１１０に送信し、旅行申込受付サーバ１１０の提示部１１３に提示された内容を受信し、制御部１２６を介して表示部１２７に表示させる。
【００３９】
表示部１２７には、旅行申込受付サーバ１１０の提示部１１３で提示されたツアー選択画面７０１、旅行案内画面８０１、参加申込画面９０１、申込確認画面１００１、１１０１等が表示される。
入力部１２５は、表示部１２７に表示されたツアー選択画面７０１、旅行案内画面８０１、参加申込画面９０１等のラジオボタンやテキストボックスへの選択、記入や、「決定」ボタン等の操作を申込者から受付け、制御部１２６に通知する。
【００４０】
制御部１２６は、入力部１２５から通知された入力情報や操作を送受信部１２８を介して旅行申込受付サーバ１１０に送信させ、送受信部１２８で受信されたツアー選択画面７０１等を表示部１２７に表示させる。
なお、ユーザ端末１２２、１２３、・・・は、ユーザ端末１２１と同様の構成を有する。
【００４１】
航空会社サーバ１３０は、団体割引運賃での発券ができなくなった期間における特別割引運賃１表や特別割引運賃２表を記憶しており、それらの運賃が適用される期間とともに、旅行申込受付サーバ１１０からのアクセスにより、それらの情報をダウンロードさせる。また、航空会社サーバ１３０は、各運賃が適用される搭乗便の空席情報を記憶しており、旅行申込受付サーバ１１０からの空席情報の要求に対して、当該情報を提供する。
【００４２】
次に、本実施の形態の動作を旅行申込受付サーバ１１０の動作を中心に図１２、図１３のフローチャートを用いて説明する。
先ず、申込受付部１１２は、ユーザ端末１２１から主催旅行のホームページへのアクセスを待って（Ｓ１２０１）、提示部１１３が制御部１１６の指示によりメニュー画面を提示する（Ｓ１２０２）。
【００４３】
申込受付部１１２がユーザ端末１２１からメニュー選択によってツアー選択画面の要求を受けると（Ｓ１２０３）、制御部１１６の指示により提示部１１３はツアー選択画面７０１を提示する（Ｓ１２０４）。
次に、申込受付部１１２がユーザ端末１２１から出発地と旅行先の選択を受信すると（Ｓ１２０６）、制御部１１６は、記憶部１１１に記憶されている複数の主催旅行情報の中から出発地と旅行先とが一致する１つの主催旅行情報の識別子を取得し、提示部１１３に通知するとともに旅行案内画面の提示を指示する。提示部１１３は、記憶部１１１から識別子で識別される主催旅行情報を読み出し、旅行案内画面８０１を提示する（Ｓ１２０８）。
【００４４】
制御部１１６は、申込受付部１１２がユーザ端末１２１から「決定」通知を受信したか、「次へ」通知を受信したかを判定する（Ｓ１２１０）。「次へ」通知のときには、Ｓ１２０８に戻り、「決定」通知のときには、主催旅行の識別子を提示部１１３に通知する。
提示部１１３は、旅行参加申込票が表示された参加申込画面９０１を提示する（Ｓ１２１２）。
【００４５】
制御部１１６は、申込受付部１１２にユーザ端末１２１から参加申込画面９０１に表示された必要記載事項の受信を待って（Ｓ１２１４）、申込日が旅行出発日の１１日以前であるか否かを判定する（Ｓ１２１６）。出発日の１１日以前でなければ、Ｓ１３０２に移る。
申込日が出発日の１１日以前であると判定すると、初期設定された団体割引運賃表３０１による主催旅行料金を表示した申込確認画面を提示するよう提示部１１３に指示する。提示部１１３は、申込確認画面１００１を提示する（Ｓ１２１８）。
【００４６】
制御部１１６は、申込受付部１１２がユーザ端末１２１から確認通知と旅行料金の支払方法の選択通知とを受信するのを待って（Ｓ１２２０）、主催旅行の申込登録を記憶部１１１にし（Ｓ１２２２）、処理を終了する。
Ｓ１３０２において、制御部１１６は、申込日が出発日より８日以前か否か、即ち、第１期間内か否かを判定する。第１期間内であれば、当該出発日と帰着日の搭乗便に空席があるか否かを判定するため、問合部１１４に空席情報を取得させ、空席があることを確認する（Ｓ１３０４）。空席がなければＳ１３３０に移る。
【００４７】
空席が確認できれば、団体割引運賃と第１期間に適用される特別割引運賃１との差額を計算し（Ｓ１３０６）、旅行料金を算出する（Ｓ１３０８）。制御部１１６は、旅行料金等を提示部１１３に通知し、申込確認画面の提示を指示する。
提示部１１３は、計算された旅行料金を表示した申込確認画面を提示する（Ｓ１３１０）。
【００４８】
制御部１１６は、申込受付部１１２がユーザ端末１２１から「確認」通知と旅行料金の支払方法の選択通知との受信を待って（Ｓ１３１２）、記憶部１１１に主催旅行の申込登録をし（Ｓ１３１４）、処理を終了する。
Ｓ１３０２において、制御部１１６は、申込日が出発日より８日以前でないと判定したとき、申込日が出発日より２日以前の第２期間内か否かを判定する（Ｓ１３１６）。否のときはＳ１３３０に移る。
【００４９】
制御部１１６は、申込日が出発日より２日以前であると判定したとき、当該出発日と帰着日との搭乗便の空席情報を問合部１１４に取得させ、取得された空席情報により、空席の有無を判定し（Ｓ１３１８）、搭乗便の空席がないときは、Ｓ１３３０に移る。空席があるときには、団体割引運賃と第２期間に適用される特別割引運賃２との差額を計算する（Ｓ１３２０）。
【００５０】
制御部１１６は、初期設定された旅行料金に差額を加算した旅行料金を算出し（Ｓ１３２２）、旅行料金等を提示部１１３に通知し、申込確認画面の提示を指示する。
提示部１１３は、通知された旅行料金等を表示した申込確認画面１１０１を提示する（Ｓ１３２４）。
制御部１１６は、申込受付部１１２がユーザ端末１２１から「確認」通知と支払方法の選択通知を受信するのを待って（Ｓ１３２６）、記憶部１１１に申込登録をし（Ｓ１３２８）、処理を終了する。
【００５１】
Ｓ１３３０において、提示部１１３は、制御部１１６からの指示により、旅行申込は受付けられない旨の提示をして、処理を終了する。
なお、Ｓ１２２２、Ｓ１３１４、Ｓ１３２８において、申込登録がされた後、制御部１１６の制御により、搭乗便の発券処理や旅行料金の課金処理がなされる。
また、上記実施の形態では、交通手段を航空機の利用として説明したけれども、列車やバスであってもよいのは勿論である。
【００５２】
また、団体割引運賃の適用される所定期間を出発日の１１日前までとしたけれども、別の期間が定められてもよいのは勿論であり、第１期間、第２期間をそれぞれ出発日の８日前から１０日前、２日前から７日前としたけれども、別の期間に設定されてもよいし、第１、第２の期間を区別せず１の期間としてもよいのは勿論である。
また、上記実施の形態では、問合部１１４が航空会社のサーバ１３０にアクセスし、特別割引運賃１表５０１、特別割引運賃２表や搭乗便の空席情報を取得すると説明したけれども、これらの情報を他の方法で取得し、入力部１１５から記憶部１１１に記憶させてもよいのは勿論である。
また、本実施の形態の構成を図１に示したけれども、各構成要素の機能をコンピュータに発揮させるプログラムで実現するようにしてもよい。
【産業上の利用可能性】
【００５３】
本発明に係る旅行申込受付システムは、旅行業界において、主催旅行の参加申込受付の時期的制約を画期的に改善するものとして、活発に利用される。
【図面の簡単な説明】
【００５４】
【図１】本発明に係る旅行申込受付システムの一実施の形態の構成図である。
【図２】上記実施の形態の記憶部に記憶されている主催旅行の日程の一例を示す図である。
【図３】上記実施の形態の記憶部に記憶されている主催旅行の旅行料金算出に利用されている航空運賃の割引運賃の一例を示す図である。
【図４】上記実施の形態の記憶部に記憶されている主催旅行の出発日の所定期間前迄に申込んだ場合の旅行料金の一例を示す図である。
【図５】上記実施の形態の記憶部に記憶されている出発日の所定期間前を経過後の第１期間の航空運賃の一例を示す図である。
【図６】上記実施の形態の記憶部に記憶されている出発部の所定期間前を経過後の第２期間の航空運賃の一例を示す図である。
【図７】上記実施の形態の提示部で提示される旅行内容選択のためのメニュー画面の一例を示す図である。
【図８】上記実施の形態の提示部で提示される選択された主催旅行の旅行日程の一例を示す図である。
【図９】上記実施の期待の提示部で提示される旅行の参加申込画面の一例を示す図である。
【図１０】上記実施の形態の提示部で提示される旅行の申込確認画面の一例を示す図である。
【図１１】上記実施の形態の提示部で提示される旅行の申込確認画面の他の例を示す図である。
【図１２】上記実施の形態の動作を説明するフローチャート（その１）である。
【図１３】上記実施の形態の動作を説明するフローチャート（その２）である。
【符号の説明】
【００５５】
１１０  旅行申込受付サーバ
１１１  記憶部
１１２  申込受付部
１１３  提示部
１１４  問合部
１１５  入力部
１１６  制御部
１２１、１２２、１２３，・・・ユーザ端末
１２５  入力部
１２６  制御部
１２７  表示部
１２８  送受信部
１３０  航空会社サーバ
１４０  公衆回線網
【図１】
2005258652.tif 000003
【図２】
2005258652.tif 000004
【図３】
2005258652.tif 000005
【図４】
2005258652.tif 000006
【図５】
2005258652.tif 000007
【図６】
2005258652.tif 000008
【図７】
2005258652.tif 000009
【図８】
2005258652.tif 000010
【図９】
2005258652.tif 000011
【図１０】
2005258652.tif 000012
【図１１】
2005258652.tif 000013
【図１２】
2005258652.tif 000014
【図１３】
2005258652.tif 000015